(57)【要約】【課題】空間多重通信の通信品質を向上させること。【解決手段】空間分割多元接続方式を採用する基地局１２は、基地局１２と通信している移動局の少なくとも一部に対する通信信号の送信を所定期間停止し、その間に、その移動局に割り当てられている通信チャネルにおける妨害波レベルを測定するよう、無線部２２と妨害波レベル測定部３０を制御するキャリアセンス制御部３８と、その測定結果に基づいて、複数の通信チャネルの中から空間多重通信に使用する通信チャネルを決定する多重チャネル決定部４０と、を含む。【選択図】図３
2009206551.tif 000002
【特許請求の範囲】
【請求項１】
複数の通信チャネルのいずれか１つを使用して２以上の移動局装置と空間多重通信を行う基地局装置であって、
前記基地局装置と通信している移動局装置の少なくとも一部に対する通信信号の送信を所定期間停止する送信停止手段と、
前記送信停止手段により前記通信信号の送信が停止されている間に、前記少なくとも一部の移動局装置に割り当てられている通信チャネルにおける妨害波レベルを測定するキャリアセンス手段と、
前記キャリアセンス手段による測定結果に基づいて、前記複数の通信チャネルの中から前記空間多重通信に使用する通信チャネルを決定する多重チャネル決定手段と、
を含むことを特徴とする基地局装置。
【請求項２】
請求項１に記載の基地局装置において、
前記送信停止指示手段は、新たな移動局装置からの接続要求に応じて前記空間多重通信を開始する前に、前記通信している移動局装置の少なくとも一部に対する通信信号の送信を所定期間停止し、
前記多重チャネル決定手段は、前記少なくとも一部の移動局装置に割り当てられている通信チャネルの中から前記空間多重通信に使用する通信チャネルを決定する、
ことを特徴とする基地局装置。
【請求項３】
請求項２に記載の基地局装置において、
前記新たな移動局装置からの接続要求に応じて前記空間多重通信を開始する前に、通信に使用されている前記通信チャネルで受信された信号の品質に基づいて、前記空間多重通信に使用する通信チャネルの候補を選出する多重候補チャネル選出手段をさらに含み、
前記送信停止指示手段は、前記多重候補チャネル選出手段により選出された通信チャネルを使用して通信している移動局装置に対する通信信号の送信を所定期間停止し、
前記多重チャネル決定手段は、前記多重候補チャネル選出手段により選出された通信チャネルの中から前記空間多重通信に使用する通信チャネルを決定する、
ことを特徴とする基地局装置。
【請求項４】
請求項１に記載の基地局装置において、
前記送信停止手段は、所定の周期で、前記通信している移動局装置の少なくとも一部に対する通信信号の送信を所定期間停止する、
ことを特徴とする基地局装置。
【請求項５】
複数の通信チャネルのいずれか１つを使用して２以上の移動局装置と空間多重通信を行う基地局装置におけるチャネル決定方法であって、
前記基地局装置と通信している移動局装置の少なくとも一部に対する通信信号の送信を所定期間停止するステップと、
前記通信信号の送信が停止されている間に、前記少なくとも一部の移動局装置に割り当てられている通信チャネルにおける妨害波レベルを測定するステップと、
前記キャリアセンスによる測定結果に基づいて、前記複数の通信チャネルの中から前記空間多重通信に使用する通信チャネルを決定するステップと、
を含むことを特徴とするチャネル決定方法。
【発明の詳細な説明】
【技術分野】
【０００１】
本発明は、基地局装置およびチャネル決定方法に関し、特に、空間分割多元接続方式を採用する移動通信システムに関する。
【背景技術】
【０００２】
空間分割多元接続（ＳＤＭＡ：Space Division Multiple Access）方式を採用する移動通信システムでは、空間的に分離可能な２以上の移動局に１つの通信チャネルを共用させることにより、基地局あたりの収容ユーザ数を増やすことができる。一方で、このシステムには、１つの通信チャネルを１つの移動局に占有させる場合に比べて通信品質が不安定になりやすいという問題がある。
【０００３】
従来の移動通信システムでは、接続を要求する移動局が基地局から通知された通信チャネルで妨害波が検出されないことをキャリアセンスにより確認した場合に限り、その通信チャネルを使用した空間多重通信を開始するようにしている。また、特許文献１には、接続を要求する移動局によって実行される上記キャリアセンスの成功率を高めるために、空間多重通信を予定する通信チャネルで既に通信している移動局に対して通信信号を断続送信する基地局が開示されている。
【特許文献１】特開２００７−１８０８５６号公報
【発明の開示】
【発明が解決しようとする課題】
【０００４】
現在、空間分割多元接続方式を採用する移動通信システムにおいて、通信品質の向上が望まれている。
【０００５】
本発明は、かかる事情に鑑みてなされたものであり、空間多重通信の通信品質を向上させることができる基地局装置およびチャネル決定方法を提供することを目的とする。
【課題を解決するための手段】
【０００６】
上記課題を解決するために、本発明に係る基地局装置は、複数の通信チャネルのいずれか１つを使用して２以上の移動局装置と空間多重通信を行う基地局装置であって、前記基地局装置と通信している移動局装置の少なくとも一部に対する通信信号の送信を所定期間停止する送信停止手段と、前記送信停止手段により前記通信信号の送信が停止されている間に、前記少なくとも一部の移動局装置に割り当てられている通信チャネルにおける妨害波レベルを測定するキャリアセンス手段と、前記キャリアセンス手段による測定結果に基づいて、前記複数の通信チャネルの中から前記空間多重通信に使用する通信チャネルを決定する多重チャネル決定手段と、を含むことを特徴とする。
【０００７】
本発明によれば、基地局装置は、通信している移動局装置の少なくとも一部に対する通信信号の送信を一時停止し、その間に、その移動局装置に割り当てられている通信チャネルにおける妨害波レベルをキャリアセンスにより測定する。そして、その測定結果に基づいて、空間多重通信に使用する通信チャネルを決定する。すなわち、通信に使用されている通信チャネルにおいてもキャリアセンスを行う。このため、妨害波の少ない通信チャネルを空間多重通信に割り当てることが可能となり、空間多重通信の通信品質を向上させることができる。
【０００８】
また、本発明の一態様では、前記送信停止指示手段は、新たな移動局装置からの接続要求に応じて前記空間多重通信を開始する前に、前記通信している移動局装置の少なくとも一部に対する通信信号の送信を所定期間停止し、前記多重チャネル決定手段は、前記少なくとも一部の移動局装置に割り当てられている通信チャネルの中から前記空間多重通信に使用する通信チャネルを決定する。
【０００９】
この態様によれば、通信に使用されている通信チャネルにおけるキャリアセンスの結果を空間多重通信を開始する直前に取得することができる。このため、妨害波の少ない通信チャネルを精度良く特定し、空間多重通信に割り当てることができる。
【００１０】
また、この態様では、前記新たな移動局装置からの接続要求に応じて前記空間多重通信を開始する前に、通信に使用されている前記通信チャネルで受信された信号の品質に基づいて、前記空間多重通信に使用する通信チャネルの候補を選出する多重候補チャネル選出手段をさらに含み、前記送信停止指示手段は、前記多重候補チャネル選出手段により選出された通信チャネルを使用して通信している移動局装置に対する通信信号の送信を所定期間停止し、前記多重チャネル決定手段は、前記多重候補チャネル選出手段により選出された通信チャネルの中から前記空間多重通信に使用する通信チャネルを決定してもよい。
【００１１】
こうすれば、通信に使用されている全通信チャネルでキャリアセンスを行う場合に比べて、基地局装置がキャリアセンスのために通信信号の送信を停止する移動局装置の数が減少するため、スループットの低下を抑制することができる。
【００１２】
また、本発明の一態様では、前記送信停止手段は、所定の周期で、前記通信している移動局装置の少なくとも一部に対する通信信号の送信を所定期間停止する。
【００１３】
この態様によれば、通信に使用されている通信チャネルにおけるキャリアセンスの結果を所定の周期で更新することができる。
【００１４】
また、本発明に係る複数の通信チャネルのいずれか１つを使用して２以上の移動局装置と空間多重通信を行う基地局装置におけるチャネル決定方法であって、前記基地局装置と通信している移動局装置の少なくとも一部に対する通信信号の送信を所定期間停止するステップと、前記通信信号の送信が停止されている間に、前記少なくとも一部の移動局装置に割り当てられている通信チャネルにおける妨害波レベルを測定するステップと、前記キャリアセンスによる測定結果に基づいて、前記複数の通信チャネルの中から前記空間多重通信に使用する通信チャネルを決定するステップと、を含むことを特徴とする。
【発明を実施するための最良の形態】
【００１５】
以下、本発明の一実施形態を図面に基づいて詳細に説明する。
【００１６】
図１は、本発明の一実施形態に係る移動通信システム１０の全体構成図である。同図に示すように、移動通信システム１０は、基地局１２と複数の移動局１４（ここでは３つ）を含んで構成されている。
【００１７】
基地局１２は、ＴＤＭＡ／ＴＤＤ（Time Division Multiple Access/Time Division Duplex：時分割多元接続／時分割双方向通信）方式により、複数の移動局１４と多重無線通信を行う。ＴＤＭＡ／ＴＤＤ方式による各タイムフレーム（ＴＤＭＡフレーム）は、図２に示すように、ダウンリンク（基地局１２から移動局１４に向かう無線伝送路）用の４つのタイムスロットおよびアップリンク（移動局１４から基地局１２に向かう無線伝送路）用の４つのタイムスロット、すなわち送受４対のタイムスロット（合計８つのタイムスロット）から構成されている。基地局１２と各移動局１４との通信に使用される通信チャネルは、送受１対のタイムスロットと、複数の所定キャリア周波数のいずれかと、の組み合わせにより特定される。
【００１８】
また、基地局１２は、アダプティブアレイアンテナを備えており、このアダプティブアレイアンテナを用いて通信チャネルごとに２つ以上の移動局１４と空間分割多元接続（ＳＤＭＡ：Space Division Multiple Access）方式による多重無線通信を行う。すなわち、基地局１２は、ＴＤＭＡ／ＴＤＤ方式とＳＤＭＡ方式とを併用することにより、８つ以上の移動局１４それぞれと同時に無線通信を行うことができる。
【００１９】
移動局１４は、たとえば可搬型の携帯電話機、携帯情報端末、または通信カードである。移動局１４は、基地局１２との無線通信を開始する際、基地局１２に対してリンクチャネル確立要求（接続要求）を送信する。そして、移動局１４は、リンクチャネル確立要求に応じて基地局１２から通知される通信チャネルを使用して、基地局１２との無線通信を行う。
【００２０】
なお、基地局１２が移動局１４からのリンクチャネル確立要求を受信した時、送受４対のタイムスロットのうち通信に使用されていない空きスロットが基地局１２に存在すれば、空きスロットのいずれかに対応する通信チャネルが基地局１２から移動局１４に通知される。一方、基地局１２に空きスロットがなければ（または何らかの理由で空きスロットが使用できない状態にあれば）、通信に使用されている通信スロットのいずれかに対応する通信チャネルが基地局１２から移動局１４に通知され、当該通信チャネルにおいて空間多重通信が開始される。
【００２１】
特に移動通信システム１０では、基地局１２が、通信している移動局１４に対する通信信号の送信を一時停止し、その間に、その移動局１４に割り当てられている通信チャネルにおける妨害波レベルを測定する。そして、その測定結果に基づいて、基地局１２は、妨害波の少ない通信チャネルを空間多重通信に割り当てる。これにより、通信品質の安定した空間多重通信を実現している。
【００２２】
以下では、上記処理を実現するために基地局１２が備える構成および機能について詳細に説明する。
【００２３】
図３は、基地局１２の機能ブロック図である。同図に示すように、基地局１２は、アンテナ素子２０−１〜２０−ｎ、無線部２２、信号処理部２４（空間多重処理部２６、受信信号品質取得部２８、妨害波レベル測定部３０）、ベースバンド部３２、制御部３４（多重候補チャネル選出部３６、キャリアセンス制御部３８、多重チャネル決定部４０）、および記憶部４２を含んで構成される。
【００２４】
アンテナ素子２０−１〜２０−ｎは、アダプティブアレイアンテナを構成する。各アンテナ素子２０は、受信スロットごとに、当該受信スロットに対応する通信チャネルが割り当てられた各移動局１４から送信される無線信号を受信し、受信した無線信号を無線部２２に出力する。また、送信スロットごとに、当該送信スロットに対応する通信チャネルが割り当てられた各移動局１４に対して無線部２２から供給される無線信号を放射する。なお、無線信号の送受信は、無線部２２の指示に従って時分割で切り替えられる。
【００２５】
無線部２２は、ローノイズアンプ、パワーアンプ、帯域通過フィルタ、ミキサを含んで構成される。無線部２２は、各アンテナ素子２０で受信される無線信号を中間周波数信号にダウンコンバートし、その中間周波数信号を信号処理部２４に出力する。また、信号処理部２４から入力される信号を無線信号にアップコンバートし、その無線信号を送信出力レベルにまで増幅して各アンテナ素子２０に供給する。
【００２６】
信号処理部２４は、たとえばＤＳＰ（Digital Signal Processor）およびメモリなどで構成され、メモリに格納されるプログラムをＤＳＰが実行することによって実現される、空間多重処理部２６、受信信号品質取得部２８、および妨害波レベル測定部３０を機能的に含む。
【００２７】
空間多重処理部２６は、ＳＤＭＡ方式による多重通信を実現するために、アダプティブアレイアンテナの指向性パターンを制御する。すなわち、空間多重処理部２６は、受信スロットごとに、リンクチャネル確立応答時により各移動局１４に通知された既知信号（たとえば１６ビットのユニークワード）と、無線部２２から入力される中間周波数信号の先頭部分（既知信号が含まれる部分）に各アンテナ素子２０のウェイト（位相情報および振幅情報を含んでなる重み係数）を掛けた値の総和と、の誤差が最小となるよう、公知のウェイト演算アルゴリズム（たとえば、最小二乗誤差法（ＭＭＳＥ：Minimum Mean Square Error））に基づいて各アンテナ素子２０の最適なウェイトを決定する。そして、空間多重処理部２６は、無線部２２から入力される中間周波数信号から空間多重された各移動局１４の通信信号を分離抽出し、抽出された各移動局１４の通信信号をベースバンド部３２に出力する。一方、空間多重処理部２６は、送信スロットにおいて、その送信スロットに対応する直前の受信スロットで決定された各アンテナ素子２０のウェイトに基づいて、ベースバンド部３２から入力される各移動局１４への通信信号を重み付けし、無線部２２に出力する。
【００２８】
受信信号品質取得部２８は、受信スロットごとに、当該受信スロットで受信された各移動局１４の通信信号の品質（以下「受信信号品質」という）を取得する。受信信号品質とは、当該受信スロットで受信された無線信号から各移動局１４の通信信号を抽出する際の抽出精度を示す指標である。ここでは、受信信号品質取得部２８が、公知のアルゴリズムに基づいて、当該受信スロットより以前のスロットで受信された通信信号と、当該受信スロットで受信された通信信号との間におけるウェイトの変動量を受信信号品質として取得するものとする。なお、前述のウェイトの変動量には、たとえばシンボルの位相回転量と電力変動量が影響する（図４参照）。
【００２９】
このシンボル位相回転量とシンボル電力変動量は、無線伝搬路におけるフェージングの影響によって変化する。たとえば、ある通信チャネルにおいてフェージングが強ければ、その通信チャネルで受信された通信信号の先頭部分と後尾部分との間におけるシンボル位相回転量とシンボル電力変動量は大きくなる。この場合に、無線部２２から入力される中間周波数信号の先頭部分に基づいて決定される各アンテナ素子２０のウェイトをその後尾部分に適用すると、受信された無線信号から各移動局１４の通信信号を抽出する際の抽出精度が低下する。逆に、フェージングが弱ければシンボル位相回転量とシンボル電力変動量は小さくなり、通信信号の抽出精度も向上する。
【００３０】
なお、受信信号品質取得部２８が指標を得る方法として、前述では各移動局１４の通信信号おけるフェージング周波数に起因する値を取得している。
【００３１】
また、前述したフェージング周波数に起因する値以外でも、ある程度の効果を得られる値として、空間多重関係となる移動局１４同士の電力差を指標とし、所定の範囲以内であることとしてもよい。
【００３２】
また、空間多重関係となる移動局１４同士の空間相関値を指標とし、１を中心に所定の範囲内であることとしてもよい。
【００３３】
また、移動局１４の信号が所定のフレーム数を指標とし、所定数連続受信可能であることとしてもよい。
【００３４】
また、移動局１４の信号が所定のタイミングの変動時間範囲を指標とし、範囲内で受信できていることとしてもよい。
【００３５】
また、ＲＳＳＩ（Receive Signal Strength Indication）の絶対値が十分に高いことに基づいてもよい。
【００３６】
また、これらの指標を複数組み合わせて判断してもよい。
【００３７】
妨害波レベル測定部３０は、後述するキャリアセンスで検出された妨害波信号の強度（妨害波レベル）を測定し、その測定結果を記憶部４２に記憶させる。たとえば図５に示すように、妨害波レベル測定部３０は、通信チャネルを識別するチャネル識別番号に関連づけて、その通信チャネルで検出された妨害波信号の強度を記憶部４２に記憶させる。
【００３８】
ベースバンド部３２は、Ａ／Ｄコンバータ、Ｄ／Ａコンバータ、局部発振回路、復調回路、および変調回路を含んで構成される。ベースバンド部３２は、信号処理部２４から入力される各移動局１４の通信信号からベースバンド信号（受信データ）を復調し、得られたベースバンド信号を図示しない通信網を介して他の基地局１２に送信する。また、通信網を介して他の基地局１２から受信されるベースバンド信号（送信データ）で局部発振回路により生成される中間周波数信号を変調し、得られた変調信号を信号処理部２４に出力する。
【００３９】
制御部３４は、たとえばＣＰＵおよびメモリなどで構成され、メモリに格納されるプログラムをＣＰＵが実行することにより基地局１２の各部を制御する機能を有する。特に、制御部３４は、多重候補チャネル選出部３６、キャリアセンス制御部３８、および多重チャネル決定部４０を機能的に含む。
【００４０】
多重候補チャネル選出部３６は、新たな移動局１４からのリンクチャネル確立要求に応じてその移動局１４との空間多重通信を開始する前に受信信号品質取得部２８により取得された受信信号品質（図４に示すシンボル位相回転量、シンボル電力変動量）に基づいて、空間多重通信に使用する通信チャネルの候補（以下「多重候補チャネル」という）多重を選出する。ここで、多重候補チャネル選出部３６は、受信信号品質取得部２８により取得されたシンボル位相回転量およびシンボル電力変動量の少なくとも一方が所定量以下である通信チャネルを多重候補チャネルとして選出してもよい。これは、空間多重通信に使用される通信チャネルでは指向性パターンの制御が複雑化し必然的に受信信号品質が悪化しやすいため、なるべく受信信号品質に優れた通信チャネルが多重候補チャネルとして選出されることが望ましいからである。
【００４１】
キャリアセンス制御部３８は、移動局１４からのリンクチャネル確立要求に応じて、多重候補チャネル選出部３６により選出された多重候補チャネルの送信スロットにおいてキャリアセンスを行うよう無線部２２と妨害波レベル測定部３０を制御する。すなわち、キャリアセンス制御部３８は、多重候補チャネルを使用して通信している移動局１４に対する通信信号の送信を所定期間（たとえば１〜３フレーム）停止するよう無線部２２を制御する。そして、通信信号の送信が停止されている間に、キャリアセンス制御部３８は、多重候補チャネルにおける妨害波信号を検出し、検出した妨害波信号の強度（妨害波レベル）を測定するよう、無線部２２と妨害波レベル測定部３０を制御する。
【００４２】
なお、キャリアセンス制御部３８は、移動局１４からのリンクチャネル確立要求の有無にかかわらず、所定の周期で（たとえば数分ごとに）、通信している移動局１４の少なくとも一部に対する通信信号の送信を所定期間停止し、その間に、それらの移動局１４に割り当てられている通信チャネルにおける妨害波レベルを測定するよう無線部２２と妨害波レベル測定部３０を制御してもよい（図８参照）。また、キャリアセンス制御部３８は、通信に使用されていない空きスロットにおける妨害波レベルを随時測定するよう無線部２２と妨害波レベル測定部３０を制御してもよい。
【００４３】
多重チャネル決定部４０は、妨害波レベル測定部３０による測定結果（図５参照）に基づいて、多重候補チャネル選出部３６により選出された多重候補チャネルの中から空間多重通信に使用する通信チャネル（以下「空間多重チャネル」という）を決定する。たとえば、多重チャネル決定部４０は、多重候補チャネルの中で妨害波レベルが最も小さい通信チャネルを空間多重チャネルとして決定してもよい。こうすれば、妨害波の最も少ない通信チャネルが空間多重通信に割り当てられるので、空間多重通信の通信品質を向上させることができる。
【００４４】
記憶部４２は、メモリ素子などで構成されており、上記のとおり、各通信チャネルの妨害波レベルなどを記憶する。
【００４５】
次に、基地局１２が移動局１４に対して空間多重チャネルを割り当てる処理について説明する。
【００４６】
図６は、移動通信システム１０における第１の空間多重チャネル割当処理を示すシーケンス図である。ここでは、４つの通信チャネルを使用して４つの移動局１４（移動局１４−２、および図示しない移動局１４−３〜１４−５）とそれぞれ通信をしている基地局１２に対して、移動局１４−１が新たな接続を要求する場合を例に挙げて説明する。
【００４７】
同図に示すように、移動局１４−１が基地局１２に対してリンクチャネル確立要求を送信すると（Ｓ１００）、基地局１２は、通信に使用されている４つの通信チャネルそれぞれにおける受信信号品質（シンボル位相回転量、シンボル電力変動量）を取得する（Ｓ１０２）。そして、基地局１２は、取得した受信信号品質が所定品質以上（シンボル位相回転量およびシンボル電力変動量の少なくとも一方が所定量以下）である通信チャネルを多重候補チャネルとして選出する（Ｓ１０４）。
【００４８】
次に、Ｓ１０４で選出された多重候補チャネルにおいてキャリアセンスを行うために、基地局１２は、当該多重候補チャネルを使用して通信している移動局１４（ここでは、移動局１４−２と図示しない移動局１４−３とする）に対する通信信号の送信を停止し（Ｓ１０６）、当該多重候補チャネルにおいてキャリアセンスを行う（Ｓ１０８）。キャリアセンス完了後、基地局１２は、Ｓ１０６で停止した通信信号の送信を再開する（Ｓ１１０）。
【００４９】
そして、基地局１２は、Ｓ１０８で得られたキャリアセンス結果に基づいて、多重候補チャネルの中で妨害波レベルが最も小さい通信チャネル（ここでは、移動局１４−２に割り当てられている通信チャネルとする）を空間多重チャネルとして決定する（Ｓ１１２）。こうして決定された空間多重チャネルは、既知信号であるユニークワードとともにリンクチャネル確立応答によって基地局１２から移動局１４−１に通知され（Ｓ１１４）、当該空間多重チャネルにおいて空間多重通信が開始される（Ｓ１１６）。
【００５０】
図７は、移動通信システム１０における第２の空間多重チャネル割当処理を示すシーケンス図である。ここでも、４つの通信チャネルを使用して４つの移動局１４（移動局１４−２、および図示しない移動局１４−３〜１４−５）とそれぞれ通信をしている基地局１２に対して、移動局１４−１が新たな接続を要求する場合を例に挙げて説明する。
【００５１】
同図に示すように、移動局１４−１が基地局１２に対してリンクチャネル確立要求を送信すると（Ｓ２００）、基地局１２は、通信に使用されている４つの通信チャネルそれぞれにおける受信信号品質（シンボル位相回転量、シンボル電力変動量）を取得する（Ｓ２０２）。そして、基地局１２は、取得した受信信号品質が所定品質以上（シンボル位相回転量およびシンボル電力変動量の少なくとも一方が所定量以下）である通信チャネルを多重候補チャネルとして選出する（Ｓ２０４）。
【００５２】
次に、事前に取得されたキャリアセンス結果（後述）を参照し（Ｓ２０６）、そのキャリアセンス結果に基づいて、Ｓ２０４で選出された多重候補チャネルの中で妨害波レベルが最も小さい通信チャネル（ここでは、移動局１４−２に割り当てられている通信チャネルとする）を空間多重チャネルとして決定する（Ｓ２０８）。こうして決定された空間多重チャネルは、既知信号であるユニークワードとともにリンクチャネル確立応答によって基地局１２から移動局１４−１に通知され（Ｓ２１０）、当該空間多重チャネルにおいて空間多重通信が開始される（Ｓ２１２）。
【００５３】
図８は、基地局１２において所定の周期で実行されるキャリアセンス処理を示すフロー図である。ここでは、４つの通信チャネルすべてが通信に使用されている場合に、本処理が実行されるものとする。
【００５４】
同図に示すように、基地局１２は、キャリアセンスの実行タイミングを管理するためのタイマをリセットする（Ｓ３００）。そして、Ｓ３００のタイマリセットから所定時間（たとえば３０秒）が経過すると（Ｓ３０２：Ｙ）、基地局１２は、通信している全部または一部の移動局１４に対する通信信号の送信を停止し（Ｓ３０４）、通信信号の送信を停止した通信チャネルにおいてキャリアセンスを行う（Ｓ３０６）。キャリアセンス完了後、基地局１２は、キャリアセンス結果を記憶部４２に保存し（Ｓ３０８）、Ｓ３０４で停止した通信信号の送信を再開する（Ｓ３１０）。そして、基地局１２は、空きスロットができるまでＳ３００以降の処理を繰り返し実行し（Ｓ３１２：Ｎ）、空きスロットができれば本処理を終了する（Ｓ３１２：Ｙ）。
【００５５】
以上説明した移動通信システム１０によれば、基地局１２が、通信している移動局１４に対する通信信号の送信を一時停止し、その間に、その移動局１４に割り当てられている通信チャネルにおける妨害波レベルを測定する。そして、その測定結果に基づいて、基地局１２は、妨害波の少ない通信チャネルを空間多重通信に割り当てる。このため、空間多重通信の通信品質を向上させることができる。
【００５６】
なお、本発明は、上記実施形態に限定されるものではない。たとえば、上記実施形態では、ＴＤＭＡ／ＴＤＤ方式とＳＤＭＡ方式とを併用する移動通信システムに本発明を適用したが、本発明は、ＳＤＭＡ方式を採用する移動通信システム全般に適用可能である。
【図面の簡単な説明】
【００５７】
【図１】本発明の実施形態に係る移動通信システムの全体構成図である。
【図２】本発明の実施形態に係るＴＤＭＡフレームの構成を示す図である。
【図３】本発明の実施形態に係る基地局の機能ブロック図である。
【図４】各通信チャネルにおける受信信号品質の一例を示す図である。
【図５】記憶部に記憶される各通信チャネルの妨害波レベルの一例を示す図である。
【図６】本発明の実施形態に係る第１の多重チャネル割当処理を示すシーケンス図である。
【図７】本発明の実施形態に係る第２の多重チャネル割当処理を示すシーケンス図である。
【図８】本発明の実施形態に係る基地局において所定の周期で実行されるキャリアセンス処理を示すフロー図である。
【符号の説明】
【００５８】
１０  移動通信システム、１２  基地局、１４  移動局、２０  アンテナ素子（アダプティブアレイアンテナ）、２２  無線部、２４  信号処理部、２６  空間多重処理部、２８  受信信号品質取得部、３０  妨害波レベル測定部、３２  ベースバンド部、３４  制御部、３６  多重候補チャネル選出部、３８  キャリアセンス制御部、４０  多重チャネル決定部、４２  記憶部。
【図１】
2009206551.tif 000003
【図２】
2009206551.tif 000004
【図３】
2009206551.tif 000005
【図４】
2009206551.tif 000006
【図５】
2009206551.tif 000007
【図６】
2009206551.tif 000008
【図７】
2009206551.tif 000009
【図８】
2009206551.tif 000010